(57)【要約】【課題】挿入されたメモリーを位置決める能力が強化され、外力を受けても変形は従来のものより少ない端部係止型コネクター用位置決め装置を提供する。【解決手段】メモリーを挿入可能であり回路板に設けられたメモリーソケットの両側に設けられており、メモリーソケットに挿入されたメモリーを係止するためのものであり、位置決め具と、支持具と、を含む端部係止型コネクター用位置決め装置において、前記位置決め具は、延長方向に沿って延びており、前記メモリーソケットから遠ざかった末端を有し、前記支持具は、前記位置決め具を支持し、前記回路板を固定するための固定端を有する支持部と、前記支持部から前記延長方向に沿って延びており、前記位置決め具の末端に枢着されている延長部と、を含む。【選択図】図４
0003144090.tif 000002
【実用新案登録請求の範囲】
【請求項１】
メモリーを挿入可能であり回路板に設けられたメモリーソケットの両側に設けられており、メモリーソケットに挿入されたメモリーを係止するためのものであり、位置決め具と、支持具と、を含む端部係止型コネクター用位置決め装置において、
前記位置決め具は、延長方向に沿って延びており、前記メモリーソケットから遠ざかった末端を有し、
前記支持具は、
前記位置決め具を支持し、前記回路板を固定するための固定端を有する支持部と、
前記支持部から前記延長方向に沿って延びており、前記位置決め具の末端に枢着されている延長部と、を含むことを特徴とする
端部係止型コネクター用位置決め装置。
【請求項２】
その一端は前記メモリーソケットに固定されていることを特徴とする、請求項１に記載の端部係止型コネクター用位置決め装置。
【請求項３】
前記位置決め具には、前記支持部の回動を規制するための止め部が設けられていることを特徴とする、請求項１に記載の端部係止型コネクター用位置決め装置。
【請求項４】
前記位置決め具には、第二規制溝と、前記第二規制溝よりも前記位置決め具の末端に近づいている第一規制溝と、を含むことを特徴とする、請求項１に記載の端部係止型コネクター用位置決め装置。
【請求項５】
前記延長部は前記第一規制溝に嵌め込まれている第一端縁を有することを特徴とする、請求項４に記載の端部係止型コネクター用位置決め装置。
【請求項６】
前記支持部は前記第二規制溝に設けられている第二端縁を有し、前記第二端縁と前記第二規制溝の間には変位隙間が存在しており、前記変位隙間により前記第二端縁は前記第二規制溝内に変位自在であることを特徴とする、請求項４に記載の端部係止型コネクター用位置決め装置。
【請求項７】
前記位置決め具の末端には、メモリーを固定するための横方向位置決めブロックが設けられていることを特徴とする、請求項１に記載の端部係止型コネクター用位置決め装置。
【請求項８】
前記メモリーソケットにメモリーを挿し込んだときには、前記位置決め具及び横方向位置決めブロックが前記メモリーに開設された切り欠に位置していることを特徴とする、請求項７に記載の端部係止型コネクター用位置決め装置。
【請求項９】
更に、第二位置決めアームを有し、前記位置決め具が前記第二位置決めアームに固定されていることを特徴とする、請求項１に記載の端部係止型コネクター用位置決め装置。
【請求項１０】
前記支持具は前記第二位置決めアームと前記位置決め具の間に固定されており、これにより、前記第二位置決めアーム及び前記位置決め具の横方向への変位が規制されることを特徴とする、請求項９に記載の端部係止型コネクター用位置決め装置。
【請求項１１】
更に、前記第二位置決めアームの末端には、前記位置決め具の末端を係るためのフックが設けられていることを特徴とする、請求項９に記載の端部係止型コネクター用位置決め装置。
【請求項１２】
更に、前記位置決め具の末端には、前記フックと係合する連接溝が設けられていることを特徴とする、請求項１１に記載の端部係止型コネクター用位置決め装置。
【請求項１３】
前記第二位置決めアームの末端には第二貫通孔が開設されていることを特徴とする、請求項９に記載の端部係止型コネクター用位置決め装置。
【請求項１４】
更に、第一位置決めアームを含み、前記第一位置決めアームの末端を前記第二貫通孔に挿入したと、前記第一位置決めアームの内側への湾折を防止することができることを特徴とする、請求項１３に記載の端部係止型コネクター用位置決め装置。
【請求項１５】
更に、前記第二位置決めアームの内側に位置されている第一位置決めアームを含み、前記第一位置決めアームの末端には、縦方向規制部と、縦方向支持部と、が設けられており、前記縦方向規制部と前記縦方向支持部の間に形成された空間はメモリーを収容可能であることを特徴とする、請求項９に記載の端部係止型コネクター用位置決め装置。
【請求項１６】
前記第一位置決めアームは撓み性を有し、メモリーを差し込んで下に押圧したと、前記第一位置決めアームが外側にやや開けられるようになり、メモリーが正常な連接位置に復帰したと、前記第一位置決めアームにより前記メモリーの縦方向への変位が規制されることを特徴とする、請求項１５に記載の端部係止型コネクター用位置決め装置。
【考案の詳細な説明】
【技術分野】
【０００１】
本考案は、メモリーソケットの両側に設けられておりメモリーを固定するための端部係止型コネクター用位置決め装置に関するものである。
【背景技術】
【０００２】
計算中に、コンピューターの資料をRAMにアクセスすることが必要であり、なお、多くのコンピューターには、RAM（すなわち、メモリー）を脱着自在に設け可能なメモリーソケットが設けられており、メモリーソケットにRAM（以下、メモリーと称し）を安定に固定しないと、接触が不良になり、アクセスが間違いになり、更にメモリーが故障になる問題があり、だから、従来のメモリーソケットの両端にはメモリーをガタガタにしないための位置決め装置がそれぞれ設けられており、且つ従来のメモリーソケットには、外部の回路板と連接している連接端子（pin）が複数に設けられており、前記位置決め装置の下縁とこれらの連接端子を同じ水平面に位置しないとメモリーを正確に組付けることができないので、位置決め装置及び前記複数の連接端子（pin）を極めて小さい製造誤差にすることが必要であり、作製が極めて困難であり、本願の出願者が提案した台湾特許第555107号の「メモリー及びLANカード用コネクター（一）」において、メモリーソケットの両端にはメモリーを固定する位置決め装置がそれぞれ設けられており、しかし、これらの位置決め装置は、射出成形された樹脂製品であるので、加工の過程中に誤差が発生してしまい、二つの位置決め装置の精確度が相違であり、そして位置決め装置は撓み性を有するものであるため、位置決め装置を押圧してメモリーを多数回に脱着したと、位置決め装置には永久変形が発生して誤差が発生し、メモリーを精確に位置決めることができなくなる問題があった。また、台湾特許第587852号の「メモリー離脱防止構造」において、メモリーソケットは、その両端にメモリーを固定するための位置決め装置が設けられていると共に、その上にメモリーをカバーするための蓋が設けられており、これにより、メモリーの移動が規制されるが、メモリーの脱着が不便になり、生産コストも増加し、そして前記蓋のメモリーに対する固定の安定性も問題であった。また、台湾特許第M304812号の「端部係止型コネクター」において、位置決め装置と複数の連接端子（pin）を同じ水平面に位置するという困難度を降下するために、メモリーソケットと位置決め装置の間にはスペースが取って置かれ、これにより、回路板に位置決め装置を固定する前には、位置決め装置が上下動可能であり、このように、位置決め装置は製造誤差を許容可能であり、且つ位置決め装置と複数の連接端子（pin）を同じ水平面に位置することができ、しかしながら、前記スペースにより、位置決め装置は、上下動することができると共に、左右動することもでき、位置決め装置の左右変位によりメモリーの挿入が困難になり、不良率が増加する問題があった。
【考案の開示】
【考案が解決しようとする課題】
【０００３】
本考案の主な目的は、挿入されたメモリーを位置決める能力が強化され、外力を受けても変形は従来のものより少ない端部係止型コネクター用位置決め装置を提供することにある。
【課題を解決するための手段】
【０００４】
本考案の請求項１に記載の端部係止型コネクター用位置決め装置によると、メモリーを挿入可能であり回路板に設けられたメモリーソケットの両側に設けられており、メモリーソケットに挿入されたメモリーを係止するためのものであり、位置決め具と、支持具と、を含む端部係止型コネクター用位置決め装置において、前記位置決め具は、延長方向に沿って延びており、前記メモリーソケットから遠ざかった末端を有し、前記支持具は、前記位置決め具を支持し、前記回路板を固定するための固定端を有する支持部と、前記支持部から前記延長方向に沿って延びており、前記位置決め具の末端に枢着されている延長部と、を含むことを特徴とする端部係止型コネクター用位置決め装置である。
【０００５】
本考案の請求項２に記載の端部係止型コネクター用位置決め装置によると、その一端は前記メモリーソケットに固定されている。
【０００６】
本考案の請求項３に記載の端部係止型コネクター用位置決め装置によると、前記位置決め具には、前記支持部の回動を規制するための止め部が設けられている。
【０００７】
本考案の請求項４に記載の端部係止型コネクター用位置決め装置によると、前記位置決め具には、第二規制溝と、前記第二規制溝よりも前記位置決め具の末端に近づいている第一規制溝と、を含む。
【０００８】
本考案の請求項５に記載の端部係止型コネクター用位置決め装置によると、前記延長部は前記第一規制溝に嵌め込まれている第一端縁を有する。
【０００９】
本考案の請求項６に記載の端部係止型コネクター用位置決め装置によると、前記支持部は前記第二規制溝に設けられている第二端縁を有し、前記第二端縁と前記第二規制溝の間には変位隙間が存在しており、前記変位隙間により前記第二端縁は前記第二規制溝内に変位自在である。
【００１０】
本考案の請求項７に記載の端部係止型コネクター用位置決め装置によると、前記位置決め具の末端には、メモリーを固定するための横方向位置決めブロックが設けられている。
【００１１】
本考案の請求項８に記載の端部係止型コネクター用位置決め装置によると、前記メモリーソケットにメモリーを挿し込んだときには、前記位置決め具及び横方向位置決めブロックが前記メモリーに開設された切り欠に位置している。
【００１２】
本考案の請求項９に記載の端部係止型コネクター用位置決め装置によると、更に、第二位置決めアームを有し、前記位置決め具が前記第二位置決めアームに固定されている。
【００１３】
本考案の請求項１０に記載の端部係止型コネクター用位置決め装置によると、前記支持具は前記第二位置決めアームと前記位置決め具の間に固定されており、これにより、前記第二位置決めアーム及び前記位置決め具の横方向への変位が規制される。
【００１４】
本考案の請求項１１に記載の端部係止型コネクター用位置決め装置によると、更に、前記第二位置決めアームの末端には、前記位置決め具の末端を係るためのフックが設けられている。
【００１５】
本考案の請求項１２に記載の端部係止型コネクター用位置決め装置によると、更に、前記位置決め具の末端には、前記フックと係合する連接溝が設けられている。
【００１６】
本考案の請求項１３に記載の端部係止型コネクター用位置決め装置によると、前記第二位置決めアームの末端には第二貫通孔が開設されている。
【００１７】
本考案の請求項１４に記載の端部係止型コネクター用位置決め装置によると、更に、第一位置決めアームを含み、前記第一位置決めアームの末端を前記第二貫通孔に挿入したと、前記第一位置決めアームの内側への湾折を防止することができる。
【００１８】
本考案の請求項１５に記載の端部係止型コネクター用位置決め装置によると、更に、前記第二位置決めアームの内側に位置されている第一位置決めアームを含み、前記第一位置決めアームの末端には、縦方向規制部と、縦方向支持部と、が設けられており、前記縦方向規制部と前記縦方向支持部の間に形成された空間はメモリーを収容可能である。
【００１９】
本考案の請求項１６に記載の端部係止型コネクター用位置決め装置によると、前記第一位置決めアームは撓み性を有し、メモリーを差し込んで下に押圧したと、前記第一位置決めアームが外側にやや開けられるようになり、メモリーが正常な連接位置に復帰したと、前記第一位置決めアームにより前記メモリーの縦方向への変位が規制される。
【考案の効果】
【００２０】
本考案の端部係止型コネクター用位置決め装置によれば、挿入されたメモリーを位置決める能力が強化され、外力を受けても変形は従来のものより少ないという効果がある。
【考案を実施するための最良の形態】
【００２１】
以下、本考案の実施の形態を図面に基づいて説明する。
【００２２】
まず、図１乃至図４を参照する。本考案に係る位置決め装置１は、メモリーソケット３の両端に設けられており、メモリーソケット３と連接するための固定穴１４が開設されており、その一端がメモリーソケット３に固定されて移動不能になり、メモリーソケット３は、回路板５に設けられており、複数の連接端子３１を有し、位置決め装置１は、第一位置決めアーム１１と、位置決め具１２と、第二位置決めアーム１３と、支持具２と、を有し、第一位置決めアーム１１は、第二位置決めアーム１３の内側に位置されており、すなわち、メモリーソケット３の内側に近づいており、これにより、メモリーソケット３にメモリー４を安定に挿入することができ、第一位置決めアーム１１の末端には、縦方向規制部１１１と、縦方向支持部１１２と、が設けられており、縦方向規制部１１１と縦方向支持部１１２は高度差があり、これにより、縦方向規制部１１１と縦方向支持部１１２の間にはメモリー４を収容する空間が形成され、且つメモリー４のメモリーソケット３における縦方向への変位も規制され、第一位置決めアーム１１の末端を位置決め具１２に設けられた第二貫通孔１２５に挿入すると、第一位置決めアーム１１の内側への湾折を防止することができる。
【００２３】
第二位置決めアーム１３は、位置決め装置の外側に位置されており、その末端が位置決め具１２に開設された第一貫通孔１２４及び第二貫通孔１２５を挿通しており、これにより、位置決め具１２が第二位置決めアーム１３に固定され、更に、第二位置決めアーム１３の末端にはフック１３１が設けられており、フック１３１が第二貫通孔１２５を挿通して位置決め具１２と係っており、更に、位置決め具１２にはフック１３１に対応する連接溝１２６が形成されており、また、位置決め具１２の末端にはメモリー４を固定するための横方向位置決めブロック１２１が設けられている。
【００２４】
位置決め具１２は、延長方向Ａに沿って延びており、メモリーソケットから遠ざかった末端１２７を有し、位置決め具１２の内側には、第二規制溝１２３と、第二規制溝１２３よりも位置決め具１の末端１２７に近づいている第一規制溝１２２と、を含む。
【００２５】
支持具２は、第二位置決めアーム３と位置決め具１２の間に挿通されており、位置決め具１２を支持するための支持部２３と、延長部２４と、を含み、支持部２３は回路板５を固定するための固定端２３１を有し、延長部２４は、支持部２３から延長方向Ａに沿って延びており、位置決め具の末端１２７に枢着されており、支持具２を回転すると、固定端２１３と位置決め具１２の距離が変更され、これにより、位置決め具１２と回路板５の間の誤差の発生を回避することができ、ひいては回路板５に固定端２１３を半田付けることができる。更に、位置決め具１２には止め部１２８が設けられており、前記止め部１２８により支持具４は止め部１２８を超えて上に回転することができない。
【００２６】
支持具２は、第一端縁２１と、第二端縁２２と、を有し、第一端縁２１は延長部２４に設けられてもよく、第二端縁２２は支持部２３に設けられてもよく、第一端縁２１が第一規制溝１２２に嵌め込まれており、且つ支持具２の第一端縁２１と第一規制溝１２２の間の隙間を極めて小さいので、第一端縁２１が支持具２の回転中心になり、なお、支持具２の他側にある第二端縁２２が第二規制溝１２３に嵌め込まれており、且つ第二端縁２２と第二規制溝１２３の間には変位隙間が存在しており、これにより、第二端縁２２は第二規制溝１２３に対して一定程度に変位自在であり、且つ第二端縁２２の変位隙間は第一端縁２１と第一規制溝１２２の間の隙間よりも大きいので、第二端縁２２の第二規制溝１２３における変位可能なストロークは、第一端縁２１の第一規制溝１２２における変位可能なストロークよりも遥かに大きく、これにより、支持具２は組付誤差を吸収するための変位空間を有し、だから、回路板５に支持具２を固定する前には、位置決め装置１と回路板５の相対高さを調整することができ、そして支持具２により位置決め具１２と第二位置決めアーム１３との変位可能な範囲が規制され、位置決め装置１に誤差を存在していることによって位置決め装置１の末端の水平高さが予定位置に位置されなくても、支持具２の第二端縁２２と第二規制溝１２３の間にある変位隙間により、組付作業は順調に実施することができ、そうすると、安定な端部係止型コネクター用位置決め装置が構成され、且つ位置決め具１２の末端に設けられた横方向位置決めブロック１２１により、メモリー４が安定に固定される。
【００２７】
次に、図５-１及び図５-２を参照する。メモリー４をメモリーソケット３に斜めに挿入して連接端子３１に接触して位置決め装置１に押し付けると、第一位置決めアーム１１がやや外側に変位するようになり、メモリー４を更に下に押圧すると、第一位置決めアーム１１が快速に復帰するようになり、そうすると、メモリー４が縦方向規制部１１１と縦方向支持部１１２の間に挟まれ、且つ位置決め具１２に設けられた横方向位置決めブロック１２１がメモリー４の左右側に開設された切り欠４１に嵌め込まれ、これにより、メモリー４の横方向への変位が規制され、メモリー４とメモリーソケット３における連接端子３１の磨耗による接触不良を防止することができる。
【００２８】
次に、図６-１及び図６-２を参照する。図６-１及び図６-２はメモリーソケット３及び位置決め装置１の上面図であって、支持具２は第二位置決めアーム１３と位置決め具１２の間に位置されており、これにより、支持具２の横方向への変位が規制され、なお、位置決め装置１は、縦方向及び横方向への変位が規制され、且つ外力を受けても変形がしなく、メモリーソケット３にメモリー４を挿し込んでいる時には、第一位置決めアーム１１が撓み性を有するので、まず、第一位置決めアーム１１が外側にやや開けられるようになり、メモリー４を正常な連接位置に到着したと、メモリー４の変位が規制され、なお、従来の位置決め構造は、一体式のロッドであり、メモリー４に固定されており、メモリー４を脱着するときに前記ロッドが押付けられ、長期間の使用になると前記ロッドの根部とメモリーソケット３の間には、隙間が発生され、又は材料が磨耗になり、なお、本考案によれば、メモリー４を脱着するときには第一位置決めアーム１１だけを移動することが必要であり、位置決め装置１の根部には外力による磨耗及び変形が発生しなく、使用寿命が更に長く延び、一方、本考案によれば、位置決め装置１の組付精確度が更に向上し、そして本考案に係る位置決め装置１は、従来のもののように左右に変位することができないので、メモリー４の挿入が更に容易になり、且つ支持具２は、第一端縁２１と第一規制溝１２２とから構成される回転支点を中心として、第二端縁２２が第二規制溝１２３において一定距離に変位可能であり、支持具２の変位により、位置決め装置１又は回路板５の湾曲誤差が相殺され、支持具２と連接端子３１を同じ水平面にすることが容易になり、これにより、組付作業が簡易になり、不良率が降下する目的を達成することができ、また、第一端縁２１は第一規制溝１２２内に位置され軸心になり、組付けているときには、支持具２は上記軸心の変位によって位置決め装置１との相対位置を調整することができ、且つ第一端縁２１と第一規制溝１２２とから構成される軸心は位置決め具１２と第二位置決めアーム１３の末端とに近づいているので、支持具２により位置決め具１２と第二位置決めアーム１３の末端との耐えられる応力が増加するので、本考案に係る端部係止型コネクター用位置決め装置によれば、メモリー４の位置決めを補助することができ、その自身が変形し難く、誤差の影響が降下する目的を達成することができる。
【００２９】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００３０】
【図１】本考案に係るメモリーソケット及び位置決め装置の斜視図である。
【図２】本考案に係る位置決め装置の分解斜視図である。
【図３】本考案に係る位置決め具の拡大図である。
【図４】本考案に係る位置決め装置の断面図である。
【図５−１】メモリーを挿入して位置決められる状態を示す側面図１である。
【図５−２】メモリーを挿入して位置決められる状態を示す側面図２である。
【図６−１】本考案に係るメモリーソケット及び位置決め装置の上面図である。
【図６−２】メモリーが位置決められた状態を示す上面図である。
【符号の説明】
【００３１】
１：位置決め装置
２：支持具
３：メモリーソケット
４：メモリー
５：回路板
１１：第一位置決めアーム
１２：位置決め具
１３：第二位置決めアーム
２１：第一端縁
２２：第二端縁
２３：支持部
２４：延長部
３１：連接端子
４１：切り欠
１１１：縦方向規制部
１１２：縦方向支持部
１２１：横方向位置決めブロック
１２２：第一規制溝
１２３：第二規制溝
１２４：第一貫通孔
１２５：第二貫通孔
１２６：連接溝
１２７：末端
１２８：止め部
１３１：フック
２３１：固定端
Ａ：延長方向
【図１】
0003144090.tif 000003
【図２】
0003144090.tif 000004
【図３】
0003144090.tif 000005
【図４】
0003144090.tif 000006
【図５−１】
0003144090.tif 000007
【図５−２】
0003144090.tif 000008
【図６−１】
0003144090.tif 000009
【図６−２】
0003144090.tif 000010